(57)【特許請求の範囲】
【請求項１】
屋根で覆われた内部空間に沿った壁面として設けられた第１遮光面材と、
前記屋根と前記第１遮光面材との間に設けられた第１開口面と、
前記第１遮光面材の外側における前記屋根の下部に、前記第１開口面と略同一の高さでかつ当該第１遮光面材との間に水平方向に所定の間隔を有する状態で、前記第1遮光面材が設けられた前記内部空間に沿った壁面として設けられた第２遮光面材と、
前記第２遮光面材の下部に、前記第１遮光面材と略同一の高さで設けられた第２開口面と、
を備えたことを特徴とする建築物の構造。
【発明の詳細な説明】
【０００１】
【発明の属する技術分野】
本発明は、体育館のような大空間を有する建築物の構造に関する。
【０００２】
【従来の技術】
体育館等の屋内スポーツ空間に代表されるような大きな内部空間を有する建築物では、冷房設備のイニシャルコスト及びランニングコストの負担を無くすため、自然通風により内部空間の快適性を確保している場合がある。図３に示すように、このような建築物１においては、外壁１１に大きな開口面１３を開閉可能に設けている。また、この開口面１３からの日差しｈの侵入を遮るために、開口面１３の上方に深い庇１５を設けている。
【０００３】
【発明が解決しようとする課題】
ところで、体育館内において行われる競技種目には、日差しの侵入を嫌う種目や、正式な競技を行うために遮光や開口面のグレア防止を義務付けた種目がある。ところが、上記構造の建築物においては、西日などの水平方向からの日差しの侵入や、開口面のグレアを防止することはできない。
【０００４】
このため、年間に数回しか行われることのない夏場の競技会のために、空調設備を設置しなければならない場合があり、このような建築物においては、冷房設備のイニシャルコスト及びランニングコストが大きな負担になるという問題があった。
【０００５】
そこで本発明は、自然通風による快適性を確保しながらも、水平方向からの日差しの侵入や、開口面のグレアを防止することが可能な建築物の構造を提供し、これによって内部空間が大きくかつ遮光を必要とする建築物における設備コストの低減を図ることを目的とする。
【０００６】
【課題を解決するための手段】
上記目的を達成するための本発明の建築物の構造は、屋根で覆われた内部空間に沿って第１遮光面材が設けられている。上記屋根とこの第１遮光面材との間には、第１開口面が設けられている。また、上記第１遮光面材の外側における屋根の下部には、第１開口面と略同一の高さでかつ当該第１遮光面材との間に間隔を有する状態で第２遮光面材が設けられている。そして、この第２遮光面材の下部には、第１遮光面材と略同一の高さで第２開口面が設けられている。
【０００７】
上記建築物の構造では、内部空間に沿って設けられた第１遮光面材上の第１開口面は、その外側の第２遮光面材下の第２開口面よりも高い位置に配置されることになるため、この第１開口面に日差しが直接照射されることはない。このため、上記第１開口面から内部空間への日差しの侵入及び当該第１開口面のグレアが防止される。しかも、第１遮光面材とその外側の第２遮光面材との間には間隔が設けられることから、これらの間には第１開口面と第２開口面とを繋ぐ空間が形成される。したがって、この空間を介して第１開口面の内側の内部空間と第２開口面の外側の外部空間との自然通風が図られる。
【０００８】
【発明の実施の形態】
図１は本発明を適用した建築物の断面図であり、以下にこの図を用いて本発明の建築物の一実施形態を説明する。
【０００９】
この図に示す建築物２は、例えば体育館のような大面積の内部空間２１を有するものであり、この内部空間２１を覆う屋根２２を備えたものである。この屋根２２は、ここでは図示されない柱や梁、または内部空間２１の周囲に部分的に設けられた壁面等によって支えられている。尚、壁面が設けられている場合には、この壁面は内部空間２１に沿った一部分にのみ配置されることとする。
【００１０】
そして、この建築物２の内部空間２１に沿った少なくとも２方向の側面、好ましくは内部空間２１を挟んで対向する各側面に、第１遮光面材２３と、この第１遮光面材２３の外側に設けられた第２遮光面材２５とが備えられている。また、第１遮光面材２３の上部には第１開口面２３ａが設けられ、第２遮光面材２５の下部には第２開口面２５ａが設けられている。
【００１１】
上記第１遮光面材２３は、例えば、図３を用いて説明した従来の建築物（体育館）における外壁と同様の位置で、かつ例えば床面２７から屋根２２までの高さの下方１／２程度の高さにわたって設けられていることとする。この第１遮光面材２３は、例えばブラインドや遮光性を有する壁面材料で構成されることとする。
【００１２】
そして、この第１遮光面材２３の上部に設けられた第１開口面２３ａは、内部空間２１を開放する状態で、第１遮光面材２３と屋根２２との間、すなわち、第１遮光面材２３の上端から屋根２２の下面にわたって設けられてる。
【００１３】
また、第１遮光面材２３の外側に設けられた第２遮光面材２５は、屋根２２の下部に配置されている。この第２遮光面材２５と第１遮光面材２３との間には水平方向に所定の間隔ｄが設けられており、これによって第１遮光面材２３と第２遮光面材２５との間には空間（以下、バッファ空間と記す）２９が配置されることになるのである。この間隔ｄは、例えば図３を用いて説明した従来の技術において外壁の開口部上に設られていた庇の深さ（張り出し長さ）と同程度に設定する。これによって、建築物２は、従来の建築物と同程度の外周で同程度の広さの内部空間２１を有するものになる。また、この第２遮光面材２５は、第１開口部２３ａと略同一の高さ、すなわち屋根２２の下面から第１遮光面材２３の上端の高さにわたって配置されている。この第２遮光面材２５は、例えばブラインドや遮光性を有する壁面で構成されることとする。
【００１４】
そして、この第２遮光面材２５の下部に設けられた第２開口面２５ａは、建築物２の外部空間と上記バッファ空間２９とを連通させる状態で第２遮光面材２５と床面２７との間に設けられてる。また、この第２開口面２５ａは、第１遮光面材２３と略同一の高さ、すなわち床面２７から第１遮光面材２３の上端の高さにわたって配置されている。
【００１５】
上記建築物２の構造では、内部空間２１に沿って設けられた第１遮光面材２３上の第１開口面２３ａは、その外側の第２遮光面材２５下の第２開口面２５ａよりも高い位置に配置されることになる。このため、この第１開口面２３ａには、西日等の水平方向からの日差しを含む各高さ方向からの日差しｈが直接照射されることはない。したがって、第１開口面２３ａから内部空間２１に日差しｈが侵入することを防止できると共に、第１開口面２３ａのグレアを防止することができる。
【００１６】
しかも、第１遮光面材２３とその外側の第２遮光面材２５との間に間隔ｄを設けたことで、これらの間に第１開口面２３ａと第２開口面２５ａとを繋ぐバファ空間２９が形成される。したがって、図中矢印で示したように、このバッファ空間２９を介して第１開口面２３ａの内側の内部空間２１と第２開口面２５ａの外側の外部空間との自然通風を図ることが可能になる。また、遮光面材２３，２５及び開口面２３ａ，２５ａは、好ましくは内部空間２１を挟んで対向する各側面に配置されていることから、室内空間２１に取り入れられた自然通風が室内空間２１の中央を通過して室外空間に排出され、この際、室内空間２１のより広い範囲に自然通風を行き渡わせることが可能になる。
【００１７】
以上の結果、この建築物２においては、自然通風による快適性を確保できると共に、内部空間２１における遮光状態を確実にすることができる。したがって、、大きな内部空間を備えながらも、遮光性が求められる建築物２において、冷房設備に要するコストの低減を図ることができる。
【００１８】
尚、第１遮光面材２３の上端と第２遮光面材２５の下端とは、必要に応じて高さ方向に重なりを持たせるようにする。重なりを持たせることによって、より低い角度（水平方向）からの日差しを確実に第２遮光面材２５で遮断することが可能になる。
また、上記構成の建築物２が壁面を有するものである場合には、上記第１遮光面材２３、第１開口面２３ａ、第２遮光面材２５及び第２開口面２５ａは、壁面の配置されていない部分に設置されることになる。この場合であっても、内部空間２１に沿った少なくとも２方向の側面、好ましくは内部空間２１を挟んで対向する各側面に、上記遮光面材２３，２５及び開口面２３ａ，２５ａを配置する。
【００１９】
図２には、本発明を適用した建築物の他の構成を示す要部断面図である。この図に示す建築物３と、上記図１を用いて説明した建築物２との異なるところは、第１遮光面材２３、第１開口面２３ａ、第２遮光面材２５及び第２開口面２５ａの配置状態にある。
尚、図２においては、上記各遮光面材２３，２５及び開口面２３ａ，２５ａが配置されている部分の断面を示した。
【００２０】
図示したように、この建築物３においては、屋根３３から床面２７の間に、上下に２分割された第１遮光面材２３及び第１開口面２３ａが設けられており、これらの外側には上下に２分割された第２遮光面材２５及び第２開口面２５ａが設けられている。そして、２分割されたうちの上方に配置された第１遮光面材２３と第１開口面２３ａに対して、２分割されたうちの上方に配置された第２遮光面材２５と第２開口面２５ａとが、上記図１を用いて説明した建築物と同様の高さ位置を保って配置されている。また、下方に配置された第１遮光面材２３と第１開口面２３ａに対して、下方に配置された第２遮光面材２５と第２開口面２５ａとが、上記図１を用いて説明した建築物と同様の高さ位置を保って配置されている。
【００２１】
さらに、第２遮光面材２５と第２開口面２５ａとの外周上部には、庇３１が設けられている。この庇３１は、例えば図示したような建築物３の屋根３３から連続的に設けられたもの、または屋根３３とは別に設けられたものであることとする。また、庇３１の直下の第２遮光面材２５（すなわち第２遮光面材２５のうちの上方に配置されるもの）は、屋根３３内部の排熱を行うためのルーバとして構成しても良い。
【００２２】
そして、第１遮光面材２３と第２遮光面材２５との間のバッファ空間２９内には、バッファ空間２９内の高さ方向を上下に区切るための仕切り３７が設けられている。この仕切り３７は、下方の第１開口面２３ａの上でかつ上方の第２開口面２５ａの下になる位置に設けられており、これによって、当該仕切り３７で仕切られたバッファ空間２９の下部２９ａと上部２９ｂとの両方に、第１開口面２３ａ及び第２開口面２５ａが設けられるようにする。さらに、バッファ空間２９の下部２９ａと上部２９ｂとを様々な目的で有効に活用するために、第１遮光面材２３と第２遮光面材２５との間隔ｄを目的に合わせて広めに設定し、上記仕切り３７を床面として形成しても良い。このようにした場合、仕切り３７にここでは図示を省略した階段を掛けることによって、バッファ空間２９を２階建て構成にすることもできる。
【００２３】
上記構成の建築物３では、バッファ空間２９に仕切り３７を設けたことによって、上方の第２開口部２５ａから侵入した日差しが下方の第１開口部２３ａに達することはない。このため、図１を用いて説明した建築物と同様に、第１開口面２３ａから内部空間２１への日差しの侵入を防止できると共に、第１開口面２３ａのグレアを防止できる。また、図中矢印で示したように、バッファ空間２９を介して、建築物３の内部空間２１と外部空間との自然通風を図ることができる。この結果、内部空間が大きく、かつ遮光を必要とする建築物において、冷房設備に要するコストの低減を図ることが可能になる。
【００２４】
尚、ここでは、バッファ空間２９を上下に２分割した場合を説明したが、バッファ空間２９の分割数はこれに限定されるものではなく、２つ以上の仕切り３７によってバッファ空間２９を上下方向に３分割以上に分割し、分割されたそれぞれの部分に第１開口面２３ａ及び第２開口面２５ａを配置することで、上記各建築物と同様の効果を得ることができる。
【００２５】
【発明の効果】
以上説明したように本発明の建築物の構造によれば、内部空間に面して配置された第１開口面からの日差しの侵入や当該第１開口面のグレアを防止することが可能になると共に、内部空間と外部空間との自然通風を図ることで内部空間の快適性を確保することが可能になる。この結果、大空間を有しかつ遮光を必要とする建築物における空調設備コストの削減を図ることが可能になる。
【図面の簡単な説明】
【図１】本発明を適用した建築物の一例を示す断面図である。
【図２】本発明を適用した建築物の他の例を示す要部断面図である。
【図３】従来の建築物の一例を示す断面図である。
【符号の説明】
２，３…建築物、２１…内部空間、２２…屋根、２３…第１遮光面材、２３ａ…第１開口面、２５…第２遮光面材、２５ａ…第２開口面
【図１】
0004416853.tif 000002
【図２】
0004416853.tif 000003
【図３】
0004416853.tif 000004